(57)【要約】【課題】導光体の組み立て精度を向上させ、発光輝度のバラツキを低減することが可能な照明装置を提供する。【解決手段】透光性材料からなる略平板状の導光体４と、この導光体４に光を入光させる光源２と、導光体４の側面に設けられ光源２と対向して光源２からの光を導入する入光部４ａと、を備えてなる照明装置である。導光体４と光源２とを収納するケース体１と、導光体４に形成されケース体１と接することで光源２に対する導光体４の位置決めをする位置決め部（突出部）４ｂと、導光体４を保持する保持部材（フレーム）１０と、保持部材１０に形成され、少なくともケース体１と導光体４との間に設けられる間隙部と対向する位置調整用孔部１０ｂと、を備えてなることを特徴とする。【選択図】図１
2008277065.tif 000002
【特許請求の範囲】
【請求項１】
透光性材料からなる略平板状の導光体と、この導光体に光を入光させる光源と、前記導光体の側面に設けられ前記光源と対向して前記光源からの光を導入する入光部と、を備えてなる照明装置であって、
前記導光体と前記光源とを収納するケース体と、
前記導光体に形成され前記ケース体と接することで前記光源に対する前記導光体の位置決めをする位置決め部と、
前記導光体を保持する保持部材と、
前記保持部材に形成され、少なくとも前記ケース体と前記導光体との間に設けられる間隙部と対向する位置調整用孔部と、
を備えてなることを特徴とする照明装置。
【請求項２】
前記保持部材に形成され、前記導光体の前記位置決め部と対向する位置確認用孔部を備えてなることを特徴とする請求項１に記載の照明装置。
【発明の詳細な説明】
【技術分野】
【０００１】
本発明は、例えば光の透過や遮光によって所定情報を照明する印刷表示パネルまたは液晶表示パネルのごとき受光型電子表示パネルを照明する照明装置に関する。
【背景技術】
【０００２】
この種の照明装置として、例えば下記特許文献１記載のものが知られている。この照明装置は、透光性材料からなる導光体と、この導光体の一側面に対向配置されるライン状の光源とを備え、光源に対向する導光体の入光部（側面）に、微細なピッチで凸部が形成されるものである。かかる照明装置は、前記入光部に凸部を形成することにより、導入光を増加させ、光の有効利用を図るものである。
【特許文献１】特開平０８−１５２６２５号公報
【特許文献２】特開２００４−２４７２８５号公報
【発明の開示】
【発明が解決しようとする課題】
【０００３】
ところで、かかる照明装置は、組み立て時に前記導光体と光源との距離が一定に保たれないと出射面での発光輝度にバラツキが生じるという問題点があった。この問題点を解決するためには、例えば特許文献２に開示されるように、前記導光体に位置決め用の突出部を設ける方法がある。しかしながら、かかる照明装置の組み立てにおいては、前記導光体の熱膨張収縮を考慮して若干のクリアランスを確保する必要があり、組み立て後に前記導光体と光源との距離にズレが生じることがあるという問題点があった。また、前記導光体を配設時に接着剤等で固定する方法も考えられるが、その場合熱膨張収縮によって前記導光体が変形するおそれがある。
【０００４】
本発明は、前述の課題に対処するため、導光体の組み立て精度を向上させ、発光輝度のバラツキを低減することが可能な照明装置を提供することを目的とするものである。
【課題を解決するための手段】
【０００５】
本発明は、前記課題を解決するため、透光性材料からなる略平板状の導光体と、この導光体に光を入光させる光源と、前記導光体の側面に設けられ前記光源と対向して前記光源からの光を導入する入光部と、を備えてなる照明装置であって、前記導光体と前記光源とを収納するケース体と、前記導光体に形成され前記ケース体と接することで前記光源に対する前記導光体の位置決めをする位置決め部と、前記導光体を保持する保持部材と、前記保持部材に形成され、少なくとも前記ケース体と前記導光体との間に設けられる間隙部と対向する位置調整用孔部と、を備えてなることを特徴とする。
【０００６】
また、前記保持部材に形成され、前記導光体の前記位置決め部と対向する位置確認用孔部を備えてなることを特徴とする。
【発明の効果】
【０００７】
本発明によれば、初期の目的を達成でき、導光体の組み立て精度を向上させ、発光輝度のバラツキを低減することが可能な照明装置を提供することができる。
【発明を実施するための最良の形態】
【０００８】
以下、図面に基づいて本発明による照明装置を液晶表示装置の照明装置に適用した場合を例に説明する。
【０００９】
図１から図３は、本発明の実施形態を示すものであり、図１は本実施形態による照明装置の概略構成を示す斜視図、図２は同実施形態における光源と導光体を示す平面図、図３は断面図である。
【００１０】
図１において、本実施形態による照明装置は、ケース体１と、光源２と、ＦＰＣ３と、導光体４と、反射シート５と、下側拡散シート６と、プリズムシート７，８と、上側拡散シート９と、フレーム（保持部材）１０と、を備えており、液晶表示パネルＡの背後に配置され、光源２からの光を導光体４の側面から入射させ、導光体４の表面より光を出射して液晶表示パネルＡを照明する、いわゆるエッジライト方式の照明装置である。なお、Ｂはベゼルであり、フレーム１０に嵌め込まれ、液晶表示パネルＡの脱落を防止するものである。
【００１１】
ケース体１は、ＡＬ（アルミニウム）やＳＵＳ（ステンレス）等の金属材料からなるものであり、光源２及び導光体４等の各部材を収納するものである。
【００１２】
光源２は例えば白色光を発する複数の発光ダイオードからなり、出射面が導光体２の側面に対向するようにＦＰＣ３上に列状に配置されている。
【００１３】
ＦＰＣ３は、その基材が柔軟性を備えている回路基板である。基材としては、例えば、ポリイミドなどの柔軟性を有する合成樹脂が用いられる。ＦＰＣ３は、熱伝導テープ３ａを介してケース体１に配設固定される。ＦＰＣ３は、光源２が配設され、図示しない配線パターンによって少なくとも光源２への給電路を形成するものである。
【００１４】
導光体４は、透光性材料、例えばＰＣを用いて平板状に形成されるものである。導光体４は、側面に発光領域に対応する位置に光源２と対向する入光部４ａとケース体１の側壁に押しつけられることで光源２に対する導光体４の位置決めを行い導光体４と光源２との距離を一定に保つ突出部（位置決め部）４ｂを有するものである。なお、導光体４は、側面を有する略平板状に形成されるものであればよく、例えば楔形状に形成されるものであってもよい。また、本発明の位置決め部は凹部であってもよく、形状は本実施形態に限定されない。
【００１５】
反射シート５は、例えば表面が銀蒸着された合成樹脂フィルムからなり、導光体４の裏面に密着するように配置され、導光体４内の光を表面（照射面）側に反射するものである。
【００１６】
下側拡散シート６は、例えば白色の合成樹脂からなり、導光体４上に配置されて導光体４から出射される光を拡散させ、光の均斉度を向上させて照明装置の輝度ムラを低減するものである。
【００１７】
プリズムシート７，８は、例えば断面が三角形状のプリズム列が一定間隔で形成された輝度上昇用フィルムからなる上向きのプリズムシートである。プリズムシート７，８は、導光体４上に配置され導光体４から出射された光を正面方向（液晶表示パネル方向）に集光させ、照明装置の輝度を上昇させる。本実施形態においては、プリズムシート７，８はそれぞれ前記プリズム列の方向が異なるものが用いられている。
【００１８】
上側拡散シート９は、例えば白色の合成樹脂からなり、プリズムシート８上に配置されて導光体４からプリズムシート７，８を介して出射される光を拡散させ、光の均斉度を向上させて照明装置の輝度ムラを低減するものである。
【００１９】
フレーム１０は、例えば黒色の金属材料からなり、表示領域を露出させる開口部１０ａと位置調整用孔部１０ｂと位置確認用孔部１０ｃとを有するものである。フレーム１０は、ケース体１の表面側に配設され、ケース体１とともに導光体４を含む照明装置を構成する各部材を挟持して上下方向に保持する。また、フレーム１０は、表示領域外からの光漏れを防止する。位置調整用孔部１０ｂは、フレーム１０の導光体４とケース体１との間に設けられる間隙部との対向個所を切り起こして形成される。位置確認用孔部１０ｃは、フレーム１０の導光体４の突出部４ｂとの対向個所を切り起こして形成される。
【００２０】
以上の各部材によって本実施形態の照明装置が構成されている。
【００２１】
図２及び図３は、本実施形態における導光体４の位置調整を説明するための正面図である。
【００２２】
図２は、ケース体１に導光体４が配設された状態を示している。このとき、導光体４に形成された突出部４ｂをケース体１の内壁に押し当てることで導光体４と光源２との距離を適正な距離に保つことができる。また、導光体４とケース体１との間には導光体４の熱膨張収縮を考慮して間隙部１１が設けられる。
【００２３】
図３は、導光体４の配設後、下側拡散シート６，プリズムシート７、８，上側拡散シート９及びフレーム１０が配設された状態を示している。照明装置の組み立て工程に際し、導光体４の配設後に各部材６〜１０を配設すると導光体４が適正な位置（突出部４ｂがケース体１と接する位置）から移動する場合がある。このとき、フレーム１０に形成される位置調整用孔部１０ｂからは間隙部１１が露出しているため、作業者は位置調整用孔部１０ｂから例えば棒状部材１２を位置調整用孔部１０ｂを介して間隙部１１に差し入れ、導光体４をケース体１の内壁方向に押すことによって再度導光体４の配設位置を前記適正位置に調整することができる。また、位置確認用孔部１０ｃからは突出部４ｂが視認することができ、導光体４の位置ズレが生じているか否かを作業者が確認することができる。
【００２４】
以上のように、本実施形態は、導光体４を含む各部材を保持するフレーム１０に少なくともケース体１と導光体４との間に設けられる間隙部１１と対向する位置調整用孔部１０ｂを設けることによって、組み立て工程後に再度導光体４の配設位置を適正な位置に調整することができるため、導光体４の組み立て精度を向上させ、照明装置の輝度バラツキを低減させることが可能となる。また、フレーム１０にさらに導光体４の位置決め部である突出部４ｂと対向する位置確認用孔部１０ｃを形成することによって、導光体４の配設位置にズレが生じているか否かを作業者が確認することができ、作業の効率性を向上させることができる。
【図面の簡単な説明】
【００２５】
【図１】本発明の実施形態における照明装置の構成を示す斜視図。
【図２】同実施形態における照明装置の概略を示す平面図。
【図３】同実施形態における照明装置の断面図。
【符号の説明】
【００２６】
１  ケース体
２  光源
３  ＦＰＣ
４  導光体
４ａ  入光部
４ｂ  突出部（位置決め部）
５  反射シート
６  下側拡散シート
７，８  プリズムシート
９  上側拡散シート
１０  フレーム（保持部材）
１０ｂ  位置調整用孔部
１０ｃ  位置確認用孔部
１１  間隙部
１２  棒状部材
【図１】
2008277065.tif 000003
【図２】
2008277065.tif 000004
【図３】
2008277065.tif 000005